(57)【要約】【課題】外部へ引き出された付属装置のリード線を引っ張ったとき、あるいは、外部方向から内部方向へ押込んだときに、リード線の保持状態が外れたり弛んでしまうことがなく、リード線の組立作業も容易な回路遮断器を得る。【解決手段】過電流遮断機構を内蔵する遮断器ケース１１の前面側に形成された凹所１４に付属装置２１を収容した回路遮断器１において、付属装置２１の側壁に、この付属装置２１から回路遮断器１の外部へ引き出されるリード線２２を巻付け係止できる係止部材２１ａを設けた。【選択図】                図３
2004327336.tif 000002
【特許請求の範囲】
【請求項１】
ベース及びこのベースに装着される主カバーからなると共に過電流遮断機構を内蔵する遮断器ケースと、上記主カバーに形成されて上記過電流遮断機構の付属装置を収容する凹所と、上記主カバーに取付けられて上記凹所を閉塞する補助カバーとを備えた回路遮断器において、上記付属装置の側壁に、この付属装置から上記回路遮断器の外部へ引出されるリード線を巻付け係止できる係止部材を設けたことを特徴とする回路遮断器。
【請求項２】
上記係止部材は、ほぼＬ字形状に形成され、その一方端はリード線を挿入できる開口部とし、他方端はリード線を巻付け係止できる係止部にしたことを特徴とする請求項１記載の回路遮断器。
【請求項３】
上記係止部材の開口部、または、上記補助カバーの内側における上記開口部に対向する部分に、上記係止部材の所定寸法以上の撓みを抑止する撓み防止突起を設けたことを特徴とする請求項２記載の回路遮断器。
【請求項４】
上記回路遮断器の外部へ引き出されたリード線を外部から内部方向へ押込んだときに、上記係止部材に係止されたリード線の係止が弛むのを防止する弛み防止突起を上記補助カバーの内側に設けたことを特徴とする請求項１ないし請求項３のいずれか１項に記載の回路遮断器。
【発明の詳細な説明】
【０００１】
【発明の属する技術分野】
この発明は、過電流遮断機構のオンあるいはオフなどの状態を信号として送出するためのカセット方式の付属装置を遮断器ケース内に収納してなる回路遮断器に係わり、特に信号送出のために付属装置から遮断器ケースの外に引き出されるリード線の保持構造に関するものである。
【０００２】
【従来の技術】
付属装置付の回路遮断器では、付属装置から遮断器ケースの外に引き出されたリード線を所定の位置に保持するために、各種のリード線保持部材が用いられている。このリード線保持手段として、上下に貫通した長穴を有する合成樹脂材製のリード線保持部材にリード線を通し、そのリード線保持部材を主カバーと補助カバーで挟み込んで固定する構成のものがある（例えば、特許文献１参照）。
【０００３】
【特許文献１】
特開平１０−１２１１８号公報（図４、図５）
【０００４】
【発明が解決しようとする課題】
従来の回路遮断器は上記のように構成されているが、リード線保持部材の長穴はリード線が通る程度の大きさになされているため、例えば、リード線の先端に圧着端子をつけた場合においては、リード線を長穴に通してから圧着端子を圧着しなければならず組立作業性が悪くなる。また、回路遮断器の外部へ引き出されたリード線を引っ張ったとき、あるいは、外部から内部方向へ押込んだとき、リード線の保持状態が外れたり弛んでしまうことがある。外れたり弛んだ状態によっては、リード線のはんだ付け部分が剥離するなどの問題点があった。
【０００５】
この発明は、上述のような課題を解決するためになされたもので、リード線が長い場合やリード線の先端に圧着端子が付いた場合でも、組立作業が容易であると共に、回路遮断器の外部へ引き出されたリード線を引っ張ったとき、あるいは、
外部方向から内部方向へ押込んだときに、リード線の保持状態が外れたり弛んでしまうことのない回路遮断器を提供することを目的としている。
【０００６】
【課題を解決するための手段】
この発明に係る回路遮断器においては、付属装置の側壁に、この付属装置から上記回路遮断器の外部へ引き出されるリード線を巻付け係止できる係止部材を設けたものである。
【０００７】
【発明の実施の形態】
実施の形態１．
図１はこの発明の実施の形態１における回路遮断器において、付属装置を装着する前の状態を示す斜視図、図２は図１における付属装置部分の拡大斜視図、図３はこの発明の実施の形態１における回路遮断器において、付属装置を装着したときの一部破断側面図、図４は図３におけるＡ−Ａ線から見た部分平面図、図５は図３におけるＢ−Ｂ線から見た部分断面図である。
【０００８】
図において、遮断器ケース１１は、合成樹脂材製のベース１１ａとこのベース１１ａに着脱自在に装着される合成樹脂材製の主カバー１１ｂから構成されており、周知の過電流遮断機構（図示せず）が内蔵されている。主カバー１１ｂには補助カバー１２がねじ１３によって固着されるが、この固着により、補助カバー１２は付属装置２１が収納された凹所１４を閉塞する。付属装置２１からは、この付属装置２１からの信号を回路遮断器１の外部に出力するためのリード線２２が引き出されている。
【０００９】
補助カバー１２には、補助カバー１２を閉塞したときに主カバー１１ｂの側面を被装する側壁１２ａが設けられている。付属装置２１の側壁には、この付属装置２１から回路遮断器１の外部へ引き出されるリード線２２を係止するための係止部材であるフック２１ａが設けてある。フック２１ａの形状はほぼＬ字形状に形成され、その一方端はリード線２２を挿入できる開口部２１ａａとし、他方端はリード線２２を巻付け係止できる係止部２１ａｂにしたものである。リード線２２の引き出しは、図１及び図５などに示すように、補助カバー１２の側壁１２ａとベース１１ａの側面との間に形成された空隙を通して行なわれる。
【００１０】
以上のように構成された回路遮断器は、付属装置２１から引き出されたリード線２２を回路遮断器１の外部へ引き出すときに、リード線２２をフック２１ａの係止部２１ａｂに巻き付けておくと、リード線２２がフック２１ａに係止固定されるので、リード線２２を回路遮断器１の取付面方向（図３の矢印Ｆ１の方向）に引っ張っても付属装置２１のリード線接続部２１ｂ（例えばリード線２２のはんだ付け部）に応力が加わらない。また、フック２１ａがほぼＬ字形状に形成され、一方端が開口しているのでリード線２２の巻き付け時の作業性が良い。また、回路遮断器１の外部へ引き出されたリード線２２を引っ張ったとき、あるいは、外部方向から内部方向へ押込んだとき、リード線の保持状態が弛んでリード線２２のはんだ付け部分が剥離するなどの問題点も解消される。
【００１１】
実施の形態２．
フック２１ａと補助カバー１２の側壁１２ａの内側の空隙が大きいときは、フック２１ａの開口部２１ａａの部分に、図２に示すように撓み防止突起２１ａｃを設けて、フック２１ａの所定寸法以上の撓みを抑止する。即ち、この撓み防止突起２１ａｃにより、リード線２２を回路遮断器１の側面方向（図４における矢印Ｆ２の方向）に引っ張った場合、フック２１ａが破線で示すように外方に変位し、撓み防止突起２１ａｃが補助カバー１２の側壁１２ａの内側に当接してそれ以上の変位を防止するのでフック２１ａを折損することがない。付属装置２１あるいは補助カバー１２の側壁１２ａの構成によっては、この撓み防止突起２１ａｃを、補助カバー１２の側壁１２ａの内側に設けてもよい。ただし、フック２１ａと補助カバー１２の側壁１２ａの内側の空隙が小さいときは、撓み防止突起２１ａｃを設けなくてもよい。
【００１２】
実施の形態３．
上記実施の形態１及び２に示すように、リード線２２をフック２１ａに巻き付けておくと、リード線２２がフック２１ａに係止固定されるが、図３に示すように、補助カバー１２の内側にリード線弛み防止リブ１２ｂを設ければさらに強固に係止固定される。即ち、補助カバー１２を閉塞したとき、リード線弛み防止リブ１２ｂにより、フック２１ａに巻き付けられたリード線２２をフック２１ａ方向に押圧する。この押圧により、さらに、リード線２２が強固に係止固定される。
【００１３】
実施の形態４．
図６は、この発明の実施の形態４における回路遮断器の付属装置２３を装着する前の状態を示す斜視図、図７は図６における付属装置２３の部分の拡大斜視図である。
【００１４】
付属装置２３には、この付属装置２３から回路遮断器２の外部へ引き出されるリード線２２を係止させる係止部材である凸設部２３ａが配設されており、付属装置２３から引き出されたリード線２２を回路遮断器２の外部へ引き出すときに、リード線２２を凸設部２３ａに巻き付けておくと、リード線２２が凸設部２３ａに固定されるので、リード線２２を回路遮断器２の取付面方向に引っ張っても付属装置２３のリード線接続部２３ｂに応力が加わらない。この構成に加えて、実施の形態３で示したように、補助カバー１２の内側にリード線弛み防止リブ１２ｂを設ければさらに強固に係止固定される。
【００１５】
【発明の効果】
以上のように、この発明によれば、付属装置の側壁に、この付属装置から回路遮断器の外部へ引き出されるリード線を巻付け係止できる係止部材を設けたので、リード線の先端に圧着端子が付いた場合でも、また、リード線が長い場合であっても、長穴に通す構成ではないので、リード線の係止固定が簡単になる。
【００１６】
また、係止部材は、ほぼＬ字形状に形成され、その一方端はリード線を挿入できる開口部とし、他方端はリード線を巻付け係止できる係止部にしたので、リード線の巻付け係止が容易で、リード線の弛みも抑止される。
【００１７】
また、係止部材の開口部、または、補助カバーの内側における上記開口部に対向する部分に、係止部材の所定寸法以上の撓みを抑止する撓み防止突起を設けることにより、係止部材の折損を防止できる。
【００１８】
さらに、補助カバーの内側に、弛み防止リブを設けることにより、リード線を外部から内部方向へ押込んだときに、係止部材に係止されたリード線の係止が弛むのを防止することができる。
【図面の簡単な説明】
【図１】この発明の実施の形態１における回路遮断器の付属装置を装着する前の状態を示す斜視図である。
【図２】図１の付属装置部分の拡大斜視図である。
【図３】この発明の実施の形態１における回路遮断器の付属装置を装着したときの一部破断側面図である。
【図４】図３におけるＡ−Ａ線から見た部分平面図である。
【図５】図３におけるＢ−Ｂ線から見た部分断面図である。
【図６】実施の形態４における回路遮断器の付属装置２３を装着する前の状態を示す斜視図である。
【図７】図６の付属装置の拡大斜視図である。
【符号の説明】
１，２  回路遮断器、１１  遮断器ケース、１１ａ  ベース、１１ｂ  主カバー、１２  補助カバー、１２ａ  側壁、１２ｂ  弛み防止突起、１４  凹所、２１，２３  付属装置、２１ａ，２３ａ  係止部材、２１ａｃ  撓み防止突起、２１ｃ  リード線接続部、２２  リード線。
【図１】
2004327336.tif 000003
【図２】
2004327336.tif 000004
【図３】
2004327336.tif 000005
【図４】
2004327336.tif 000006
【図５】
2004327336.tif 000007
【図６】
2004327336.tif 000008
【図７】
2004327336.tif 000009